【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
第１のシートと、
前記第１のシートの表面に裏面が剥離可能に貼り合わされた第２のシートと、
前記第１のシートと前記第２のシートとの間に設けられた第１の記録面と、
前記第２のシートの表面に設けられた第２の記録面と、
前記第１のシートと前記第２のシートとの間に介在され、第１の記録手段による前記第２のシートの表面側からの記録動作に応じて前記第１の記録面に可視像を生成させる第１の可視像生成手段と、
第２の記録手段による前記第２のシートの表面側からの記録動作に応じて前記第２の記録面に可視像を生成させる第２の可視像生成手段と、
前記第２のシートにおける前記第１の記録面に対応する位置に設けられた遮光部と、
を具備し、前記第１の可視像生成手段は、前記第２の記録手段による記録動作によっては前記第１の記録面に可視像を生成させず、前記第２の可視像生成手段は、前記第１の記録手段による記録動作によっては前記第２の記録面に可視像を生成させないことを特徴とする積層型記録媒体。
【請求項２】
前記第１の記録面には、前記第１の記録手段の記録動作に応じて前記第１の可視像生成手段によって生成された可視像が設けられ、前記第２の記録面には、前記第２の記録手段の記録動作に応じて前記第２の可視像生成手段によって生成された可視像が設けられていることを特徴とする請求項１記載の積層型記録媒体。
【請求項３】
前記遮光部は、前記第２の記録手段の記録動作に応じて前記第２の可視像生成手段によって生成された可視像として形成されていることを特徴とする請求項２記載の積層型記録媒体。
【請求項４】
前記遮光部は、前記第２のシートの裏面側に形成されていることを特徴とする請求項１又は２記載の積層型記録媒体。
【請求項５】
前記遮光部は、前記第２のシートの表面側に形成されていることを特徴とする請求項１又は２記載の積層型記録媒体。
【請求項６】
前記第１の可視像生成手段による前記第１の記録面への可視像の生成方式と前記第２の可視像生成手段による前記第２の記録面への可視像の生成方式とは異なることを特徴とする請求項１又は２記載の積層型記録媒体。
【請求項７】
前記第１の可視像生成手段は、前記第１のシートの表面に形成された感熱又は感圧発色層であることを特徴とする請求項１又は２記載の積層型記録媒体。
【請求項８】
前記第１の記録面は前記第１のシートの表面に形成され、前記第１の可視像生成手段は、前記第２のシートの裏面に形成された熱により溶融して溶融したインクを前記第１の記録面に転写する熱転写インキ層であることを特徴とする請求項１又は２記載の積層型記録媒体。
【請求項９】
前記第１の記録面は前記第２のシートの裏面に形成され、前記第１の可視像生成手段は、前記第１のシートの表面に形成された熱により溶融して溶融したインクを前記第１の記録面に転写する熱転写インキ層であることを特徴とする請求項１又は２記載の積層型記録媒体。
【請求項１０】
前記第１の可視像生成手段は、染料を含むＡ層と前記染料と会合することで反応しその染料を発色させる顕色剤を含むＢ層とが前記第１のシートの表面と前記第２のシートの裏面とにそれぞれ設けられ、前記Ａ層又は前記Ｂ層に前記第１の記録手段から印字エネルギーが付与された場合にのみ前記染料と前記顕色剤とを会合させる会合手段が設けられ、会合した前記染料と前記顕色剤とを前記第１の記録面に保持させる保持手段が設けられて形成されていることを特徴とする請求項１又は２記載の積層型記録媒体。
【請求項１１】
前記第１の記録面は、前記第１のシートの表面に設けられた前記Ａ層によって形成されていることを特徴とする請求項１０記載の積層型記録媒体。
【請求項１２】
前記第１の記録面は、前記第１のシートの表面に設けられた前記Ｂ層によって形成されていることを特徴とする請求項１０記載の積層型記録媒体。
【請求項１３】
前記第１の記録面は、前記第２のシートの裏面に設けられた前記Ａ層によって形成されていることを特徴とする請求項１０記載の積層型記録媒体。
【請求項１４】
前記第１の記録面は、前記第２のシートの裏面に設けられた前記Ｂ層によって形成されていることを特徴とする請求項１０記載の積層型記録媒体。
【請求項１５】
前記会合手段は、オイルに溶解した染料を内包するマイクロカプセルによって構成されていることを特徴とする請求項１０記載の積層型記録媒体。
【請求項１６】
前記会合手段は、オイルに溶解した顕色剤を内包するマイクロカプセルによって構成されていることを特徴とする請求項１０記載の積層型記録媒体。
【請求項１７】
第１のシートと、
直接感熱発色方式の記録手段による記録動作に伴い付与される熱作用に応じて発色し第１の記録面に可視情報を与える感熱発色層と、
遮光層を介して前記第１の記録面に対向するように前記第１のシートに剥離可能に貼り合わされ、前記第１の記録面と対向する面と反対側の面に第２の記録面を有し、この第２の記録面から前記記録手段による記録動作が行なわれた場合には前記感熱発色層に対して前記熱作用を及ぼす厚さであって、前記第２の記録面から熱転写方式による記録動作が行われた場合には前記感熱発色層に対して断熱作用を及ぼす厚さに形成された第２のシートと、
を備えることを特徴とする積層型記録媒体。
【請求項１８】
前記感熱発色層は、前記第１のシートに含まれていることを特徴とする請求項１７記載の積層型記録媒体。
【手続補正２】
【補正対象書類名】明細書
【補正対象項目名】００１０
【補正方法】変更
【補正の内容】
【００１０】
【課題を解決するための手段】
本発明の積層型記録媒体は、第１のシートとその表面に裏面が剥離可能に貼り合わされた第２のシートとによる基本構成を備え、前記第１のシートと前記第２のシートとの間（つまり、第１のシートの表面又は第２のシートの裏面）には第１の記録面、前記第２のシートの表面には第２の記録面がそれぞれ設けられ、第１の記録手段（例えば感熱型記録装置）による前記第２のシートの表面側からの記録動作に応じて前記第１の記録面に可視像を生成させる第１の可視像生成手段（例えば第１のシートの表面に形成された感熱発色層）が前記第１のシートと前記第２のシートとの間に介在し、第２の記録手段（例えば感熱転写型記録装置）による前記第２のシートの表面側からの記録動作に応じて前記第２の記録面に可視像を生成させる第２の可視像生成手段（例えば第２の記録面におけるインクの固着構造）を備える。そして、前記第１の可視像生成手段は、前記第２の記録手段による記録動作によっては前記第１の記録面に可視像を生成させず、前記第２の可視像生成手段は、前記第１の記録手段による記録動作によっては前記第２の記録面に可視像を生成させない。これにより、第１の記録面と第２の記録面とに別個独立した内容の情報を記録することが可能となる。この場合、本発明の積層型記録媒体は、前記第２のシートにおける前記第１の記録面に対応する位置に遮光部が設けられているので、第２のシートの厚みが薄く第１のシートが透けて見えるような場合であっても、遮光部が光を遮断して第１のシートにおける第１の記録面に記録された情報を判読できないようにする。なお、第１のシートと第２のシートとは別個独立のシート状部材により形成されていても良く、一枚のシート状部材を折り曲げて形成されていても良い。
別の面から見た本発明の積層型記録媒体は、第１のシートと、直接感熱発色方式の記録手段（例えば感熱型記録装置）による記録動作に伴い付与される熱作用に応じて発色し第１の記録面に可視情報を与える感熱発色層と、遮光層を介して前記第１の記録面に対向するように前記第１のシートに剥離可能に貼り合わされ、前記第１の記録面と対向する面と反対側の面に第２の記録面を有し、この第２の記録面から前記記録手段による記録動作が行なわれた場合には前記感熱発色層に対して前記熱作用を及ぼす厚さであって、前記第２の記録面から熱転写方式による記録動作が行われた場合には前記感熱発色層に対して断熱作用を及ぼす厚さに形成された第２のシートと、を備える。